(57)【要約】      （修正有）【課題】指を挿入した状態で、片手でも簡単に付け外しができ携帯するにコンパクトで邪魔になりにくく、使用範囲を広げ、衛生的にも優れた携帯ミトンを提供する。【解決手段】指の挿入口３が形成された指袋部１、２、指袋部の手のひら部分に繋がる手のひら部４、及び連結部５を備えた携帯ミトンであり、他人が触れた所を直接触れずに済む様に、片手にて簡単に脱着できるコンパクトなミトンをクリップ８や面ファスナー９で身体に装備できるようにした。これを使用しウイルス感染などから身を守る事ができる。固定することで落下紛失も防ぐ。ミトン本体は取外して洗浄ができ、衛生的に保つことができる。【選択図】図１
0003228016.tif 000002
【実用新案登録請求の範囲】
【請求項１】
指の甲側部分及び指の手のひら側部分を覆うとともに、これら両部分にて指の挿入口が形成された指袋部と、前記手のひら側部分に繋がり手のひら部を覆う手のひら部と前記指袋部又は手のひら部に取付けられた連結部とを備え手の甲部が開放されてなる携帯ミトン。
【請求項２】
連結部が、身体装具に着脱自在に保持されてなる請求項１記載の携帯ミトン。
【請求項３】
連結部が伸縮コードよりなり、身体装具がズボン部分又はネックストラップ又はバックよりなる請求項２記載の携帯ミトン。
【考案の詳細な説明】
【技術分野】
【０００１】  本考案は、他人が手で触れた場所を直接触れなくて済むよう片手で付け外しが容易にできる感染防止等向けの携帯ミトンである。
【背景技術】
【０００２】  不特定多数の人が、ドアノブやエレベーターの階数ボタンを直接手で触れている。
【先行技術文献】
【特許文献】
【０００３】
【特許文献１】特開２００４−１５６１５５号公報
【特許文献２】意匠登録第１０７６９４９号公報
【特許文献３】実願２００９−８９９２公報
【考案の概要】
【考案が解決しようとする課題】
【０００４】  上述の文献のミトン（手袋）は、手全体を対象としている為甲の部材がある、その為挿入の際、奥行きがあり脱着を繰り返すには手間がかかり携帯するには形の大きな存在となる。又、手袋の収納や紛失などにも困り着用には両手を必要とするものが多い。
【課題を解決するための手段】
【０００５】  本考案は、指を挿入した状態で、片手でも簡単に付け外しができ携帯するにコンパクトで邪魔になりにくく、使用範囲を広げ、衛生的にも優れた携帯ミトンを得るものである。【０００６】  本考案は、指の甲側部分及び指の手のひら側部分を覆うとともに、これら両部分にて指の挿入口が形成された指袋部と、前記手のひら側部分に繋がり、手のひら部を覆う手のひら部と、前記指袋部又は手のひら部に取付けられた連結部とを備え、手の甲部が開放されてなる携帯ミトンを提供する。又、本考案は、このミトンにおいて連結部が、身体装具に着脱自在に保持されてなるもの、さらに、連結部が伸縮コードよりなり、ズボン部分又はネックストラップ又はバックよりなる身体装具の使用を提供する。
【考案の効果】
【０００７】  本考案のミトンは、「指部」と「半分の手のひら部」のみで形成され従来のものに比べ小さくでき、甲の部材がなく開放されているため挿入口が広く奥行きが浅いミトン本体と、伸縮コード、連結具、固定具等の連結部から構成されており、ミトンは布素材など適宜素材で形成でき、たとえば固定具をズボンのポケットやベルトループに装着できる。本考案のミトンは、指の挿入、引き抜きが容易であり、片手のみでこれらを行うことができ、ミトンに挿入された片手のみで連結部の着脱も可能となる。本考案によれば、生活するうえで不特定多数の人が触れてしまう場所を、このミトンを使用することで直接触れなくてすむようになる。様々な病原菌から「感染しない、感染させない」の意識を社会全体が持つようになり、通勤時や職場での中、公共施設や病院・学校において感染を防ぐ活躍が期待できる。マスクやハンカチ、消毒液と同様に、この携帯ミトンを活用する新しい習慣が生まれ人命に関わる効果が得られる。
【図面の簡単な説明】
【０００８】
【図１】  本考案の携帯ミトンの斜視図である。
【図２】  本考案の携帯ミトンの側面図である。
【図３】  本考案の携帯ミトンの装着状態を示す図である。
【図４】  本考案の携帯ミトンの着用状態を示す図である。
【図５】  本考案の携帯ミトンの使用状態を示す図である。
【図６】  本考案の携帯ミトンにおける磁石を具備した斜視図である。
【図７】  本考案の携帯ミトンを磁石による装着状態を示す図である。
【図８】  本考案の携帯ミトンをストラップへ装備した正面図である。
【図９】  本考案の携帯ミトンをストラップへ装備した側面図である。
【図１０】  本考案の携帯ミトンを装備したストラップを着用状態を示す図である。
【図１１】  本考案の携帯ミトンを装備したストラップ使用状態を示す図である。
【図１２】  本考案の携帯ミトンのバックへ装着状態を示す図である。
【図１３】  本考案の携帯ミトンのバックからの使用状態を示す図である。
【図１４】  本考案の携帯ミトンの装着状態（Ａは甲側、Ｂは手のひら側）を示す図である。
【図１５】  本考案の携帯ミトンを不織布で形成した図である。
【考案を実施するための形態】
【０００９】  以下、添付図面に従って実施の形態を説明する。（図１、２）布等適宜素材にて第一指袋部１と第２指から第４指が収まり、指の甲側部分及び指の手のひら側部分を覆う構造を有する指袋部２、その「二つの指袋」と、手のひら側部分に繋がり、手の甲部が開放状態となる「半分の手のひら部」４で形成することによりコンパクトで奥行きが浅く挿入口３が広く設けたミトン本体１０を形成する。本体１０には連結部として、生地を輪っか状にした耳５を取付け、その端部にクリップ８を繋げた伸縮コード７を連結具６により連結する。そのクリップ８を身体のズボン１２のポケットやベルト１１のループなどに装着（図３）する。このとき本体１０の手のひら部に取付けた固定具備マジックテープ雄９´とクリップ部の固定具備マジックテープ雌９にて片手で固定することができる。片手でマジックテープをはがし、着用（図４）時は挿入口より片手１３の指を容易に挿入できる。使用時（図５）は伸縮コード７を伸ばしドアノブ１４などまで運び二指によりドアノブ１４をつかみ開閉することができる。使用後は再び身体に装着したクリップ８まで戻す。固定具備９、９´で固定することにより手を抜くことができる。このように、マジックテープ９、９´や磁石１５、１６などとミトン本体１０手のひら部４とズボン等に固定することにより、片手でも簡単に付け外しができしかも携帯するにコンパクトで邪魔になりにくい特徴の感染防止ミトンが得られる。又、ミトン本体１０より伸縮コード７を取外して使用範囲を広げれることや洗浄ができ、衛生的に保つことができる。
【００１０】  本実施例によれば、ミトン本体１０に繋げた伸縮コード７の端部に取付けたクリップ８を身体のズボンポケットやベルトループなどに固定しそれに具備しているマジックテープ等適宜固定具により本体を装着固定する。装着時には固定してあることにより広く設けた挿入口より片手でも脱着が容易に出来る事となる。使用時は伸縮コード７を伸ばしドアノブまで運び二指によりドアノブ（図５）をつかみ開閉することができる。使用後は再び身体に装着したクリップまで戻し、固定具で固定することにより、手を抜くことができる。
【００１１】  図６は、本体１０の手のひら部４に取付けた固定具備磁石１５とクリップ部の固定具鉄素材１６にて固定した例を示し、図７に示すように片手で脱着が容易にできる。
【００１２】  図８は、ミトン本体１０を、ネームホルダーネックストラップ１７のネームプレート１９部裏面にマジックテープ２０で本体を固定した例を示すものである。ネックストラップ１７には伸縮コードリール１８が具備されており、それを装着（図１０）し、使用時（図１１）は、ネーム部ごと片手で簡単に伸ばすことができ目的を果たす。イベント開催時スタッフの感染安全のため装備できる。
【００１３】  図１２にはミトン本体１０を、カバン２１のもち手などに連結具で連結する構造例を示す。使用時は逆の手にカバン２１を持ち、利き手に本体１０を装着し同じ目的を果たす。
【００１４】  図１５はミトン本体１０を、医療の現場や工場などで使用する際、本体生地を不織布とし、マスク同様に使い捨てできる。固定具は少しでも軽くするため平クリップ２３を使用する。又、指の甲側部挿入口３付近にさらに手を挿入しやすいよう骨格ワイヤー２２を具備し、生地には病院名や企業のロゴマーク２４を印刷することができる。
【００１５】  図１に示す手袋本体１０は、輪っか状の耳５を連結具６より取外して洗浄ができ、衛生的に保つことができる。又、手袋本体は、輪っか状の耳（５）連結具６より取外し単体での使用も可能となる。
【００１６】  ミトン本体１０は、本体生地を使分けることによりハンカチ同様に使用できる。又、服飾小物としての存在も意識する。
【符号の説明】
【００１７】  １    第一指袋部
２    第二指袋部
３    挿入口
４    手のひら部
５    輪っか状の連結用耳
６    連結具
７    伸縮コード（クリップなど）
８    固定具（クリップなど）
９    固定具備  雄（マジックテープ・磁石）
９´  固定具備  雌（マジックテープ・磁石）
１０    ミトン本体
１１    ベルト
１２    ズボン
１３    手
１４    ドアノブ
１５    磁石
１６    鉄クリップ
１７    ストラップ
１８    伸縮リール
１９    ネームプレート
２０    マジックテープ
２１    カバン
２２    骨格ワイヤー
２３    平クリップ
２４    ロゴマーク
【図１】
0003228016.tif 000003
【図２】
0003228016.tif 000004
【図３】
0003228016.tif 000005
【図４】
0003228016.tif 000006
【図５】
0003228016.tif 000007
【図６】
0003228016.tif 000008
【図７】
0003228016.tif 000009
【図８】
0003228016.tif 000010
【図９】
0003228016.tif 000011
【図１０】
0003228016.tif 000012
【図１１】
0003228016.tif 000013
【図１２】
0003228016.tif 000014
【図１３】
0003228016.tif 000015
【図１４】
0003228016.tif 000016
【図１５】
0003228016.tif 000017